(57)【要約】【課題】  長時間の使用後および困難な状況下でも確実に動作するリベットセット装置を提供する。【解決手段】  リベットセット装置が、セットすべきリベット（３）のリベットマンドレル（２）用のホルダ（５）を有し、半径方向に摺動可能に案内された少なくとも２つの締め付けジョー（１０）には、前記リベットマンドレル（２）を把持するための半径方向内面（１１）が形成されており、前記２つの締め付けジョー（１０）には、半径方向外面（１２）が傾斜して延びる半径方向に摺動可能に案内された少なくとも２つの締め付けジョー（１０）が形成されており、前記ホルダに配置された前記リベット（３）の前記リベットマンドレル（２）を把持して引っ張るための駆動装置を備えて形成された引っ張り装置が、前記外面（１２）を把持するために前記締め付けジョー（１０）が形成されており、前記締め付けジョー（１０）による解放時にも前記ホルダ（５）における前記リベットマンドレル（２）の側方回避が防止されている。【選択図】  図１
2013536084.tif 000002
【特許請求の範囲】
【請求項１】
リベットセット装置であって、前記リベットセット装置が、
１．１  セットすべきリベット（３）のリベットマンドレル（２）用のホルダ（５）と、
１．２  半径方向に摺動可能に案内された少なくとも２つの締め付けジョー（１０）であって、
１．３  前記半径方向に摺動可能に案内された少なくとも２つの締め付けジョー（１０）には、前記リベットマンドレル（２）を把持するための半径方向内面（１１）が形成されており、
１．４  前記半径方向に摺動可能に案内された少なくとも２つの締め付けジョー（１０）には、半径方向外面（１２）が傾斜して延びる半径方向に摺動可能に案内された少なくとも２つの締め付けジョー（１０）と、
１．５  前記ホルダに配置された前記リベット（３）の前記リベットマンドレル（２）を把持して引っ張るための駆動装置を備えて形成された引っ張り装置であって、
１．６  前記外面（１２）を把持するために前記締め付けジョー（１０）が形成されている引っ張り装置とを有し、
１．７  前記締め付けジョー（１０）による解放時にも前記ホルダ（５）における前記リベットマンドレル（２）の側方回避が防止されているリベットセット装置。
【請求項２】
前記リベットマンドレル（２）用の前記ホルダ（５）が、前記リベットマンドレル（２）用の円筒状中央貫通路（４）と少なくとも２つの半径方向スリット（７）とを備え、前記少なくとも２つの半径方向スリット（７）の幅が前記貫通路（４）の直径よりも小さく、各スリット（７）には締め付けジョー（１０）が配置されている請求項１に記載のリベットセット装置。
【請求項３】
前記リベットセット装置が、前記リベット（３）をセットするための押圧装置を有し、前記押圧装置が、前記円筒状貫通路（４）に配置された前記リベットマンドレル（２）の自由端を把持するタペット（６）を備える請求項１または２に記載のリベットセット装置。
【請求項４】
リベットが少なくとも５ｍｍまで挿入された場合に、前記タペット（６）に対向する前記貫通路（４）の端部が、前記リベットマンドレルの前方に達し、有利には前記リベットマンドレルまで達し、好ましくは前記リベットマンドレルを越えて達し、最も好ましくは前記タペット（６）の端部が前記押圧装置を囲む請求項３に記載のリベットセット装置。
【請求項５】
前記締め付けジョー（１０）が前記スリット（７）に軸方向に制限して移動可能に案内されている請求項１〜４のいずれか１項に記載のリベットセット装置。
【請求項６】
前記半径方向スリット（７）が円周を介して均一に分配配置されている請求項１〜５のいずれか１項に記載のリベットセット装置。
【請求項７】
前記引っ張り装置が、前記セットすべきリベット（３）用の前記ホルダ（５）の前方に割り当てられた前記引っ張り装置の端部領域において、引っ張り方向に拡張する内部円錐（１５）を有するクランプスリーブ（１４）を備え、前記内部円錐（１５）によって、前記クランプスリーブ（１４）が前記締め付けジョー（１０）の前記半径方向外面（１２）に当接する請求項１〜６のいずれか１項に記載のリベットセット装置。
【請求項８】
前記締め付けジョー（１０）を軸方向に衝突させるために、特に前記締め付けジョー（１０）に当接するジョークローザ（１６）に作用する圧縮ばね（２７）が設けられている請求項１〜７のいずれか１項に記載のリベットセット装置。
【請求項９】
前記ジョークローザ（１６）が前記ブラインドリベット（３）用の前記ホルダ（５）に軸方向に摺動可能に案内されている請求項８に記載のリベットセット装置。
【請求項１０】
前記リベット（３）に対向する前記半径方向スリット（７）の前縁（８）が傾斜して延びる請求項１〜９のいずれか１項に記載のリベットセット装置。
【発明の詳細な説明】
【技術分野】
【０００１】
本発明は、使用時にブラインドリベットをセットすることができるリベットセット装置に関する。
【背景技術】
【０００２】
ブラインドリベットは、リベットがセットされる位置の背面にアクセスすることなく、リベットの前面が挿入されて変形するようなリベットである。リベット頭部を背面にまたは中実材料に形成するためのブラインドリベットの変形は、引っ張られるリベットマンドレルを用いて行われる。このことは、手動操作されたペンチを用いて、または駆動装置を備えるブラインドリベット装置を用いて行うことができる。ブラインドリベットのセット後に、リベットマンドレルが引き取られる。
【０００３】
リベットセット装置は、リベットマンドレルを把持して引っ張ることによって、リベットマンドレルがリベットを変形させてリベット頭部を形成する前に、リベットマンドレルへの押圧把持によってリベットを、固定すべき材料に打ち込むものである。
【０００４】
電動モータを用いて、引っ張り装置が動作され、この引っ張り装置が、ユニットに保持されたブラインドリベットのリベットマンドレルを引っ張るブラインドリベット装置が既知である。ブラインドリベットを引っ張るために、内部円錐を備え、これによって締め付けジョーを内側に衝突させる締め付けペンチが設けられている。
【０００５】
円筒状物体を把持するための締め付けジョーが知られている。締め付けジョーは軸方向に移動し、傾斜面により内側にも移動する。通常、少なくとも２つのこのような締め付けジョーが存在し、次に、それらの締め付けジョーが内側に移動される場合に、締め付けジョーの相互間にある間隙が減少する。リベットマンドレルへの押圧把持によってリベットを最初に打ち込むために、締め付けジョーを外側に移動させてリベットマンドレルを解放しなければならない。しかし、締め付けジョーがリベットマンドレルを解放する状態において、締め付けジョーは円周方向に案内されておらず、それらの締め付けジョーの間には自由空間が形成される。本発明の発明者は、締め付けジョーの間のスリットのこのような拡大が生じることがあること、およびこのようなスリットのセット工程時にリベットマンドレルが折れ曲がることがあることを見出した。このことはユニットの完全な閉塞を生じさせる。
【発明の概要】
【発明が解決しようとする課題】
【０００６】
本発明の課題は、長時間の使用後および困難な状況下でも確実に動作するリベットセット装置を提供することである。
【課題を解決するための手段】
【０００７】
この課題を解決するために、本発明は、請求項１に記載の特徴を有するリベットセット装置を提供する。本発明の発展形態は従属請求項の対象である。
【発明を実施するための形態】
【０００８】
本発明によって提供されるリベットセット装置は、リベットマンドレルの側方回避が防止されるように形成されているリベットマンドレル用の、またはリベットマンドレルの側方回避が防止されるように案内するリベットマンドレル用のホルダを備える。このため、ホルダは、特にタペットに対向する端部の円周方向に本質的に当接しているように形成されており、すなわち、存在する可能性がある自由空間は、例えば、リベットマンドレルがリベットスリーブの近くにあるので、またはリベットスリーブが円周方向においてリベットマンドレル直径よりも小さいので、リベットマンドレルが進入することができないように配置されている。
【０００９】
本発明の発展形態では、リベットマンドレル用のホルダが少なくとも２つの半径方向スリットを備え、これらの半径方向スリットには、それぞれ１つの締め付けジョーが、小さな遊びによって半径方向に摺動可能に案内されていることを意図することができる。リベットマンドレルを解放するために締め付けジョーが半径方向外側に移動される場合に、ホルダがリベットマンドレルをさらに案内する。締め付けジョー用のスリットは、セットすべきリベットのリベットマンドレルの直径よりも小さい幅を有し、例えば、リベットマンドレル直径が２．８ｍｍである場合に１〜１．５ｍｍの幅を有する。
【００１０】
締め付け板はスリットのスライド嵌合部に配置されており、したがって、対応する幅を有する。
【００１１】
本発明の発展形態では、リベットセット装置が、リベットをセットするための押圧装置を備え、この押圧装置が、円筒状貫通路に配置されたリベットマンドレルの自由端を把持するタペットを含むことを意図することができる。
【００１２】
本発明による発展形態では、貫通路が押圧装置のタペットの自由端も囲むように、リベットマンドレル用のホルダを形成することができる。
【００１３】
リベットマンドレル用のホルダの貫通路の直径は、好ましくは、リベットマンドレルの直径よりもわずかに大きいので、リベットマンドレルは確実に案内される。したがって、貫通路はタペット用の案内部も形成することができる。タペットはリベットマンドレルの直径とほぼ同じ直径を有する。
【００１４】
本発明のさらなる発展形態では、締め付けジョーはまた、小さな遊びによってスリットに軸方向に制限して移動可能に案内されていることを意図することができる。押圧力によって、締め付けジョーをリベットマンドレルとの係合から軸方向に摺動させるために、締め付けジョーのこの軸方向摺動を利用することができる。
【００１５】
本発明によれば、スリットを円周方向に均一に分配することができ、この場合、好ましくは３つのスリットが設けられている。
【００１６】
リベットをセットするのに必要である引っ張り装置は、本発明の発展形態において、セットすべきリベット用のホルダの前方に割り当てられた前記引っ張り装置の端部領域において、引っ張り方向に拡張する内部円錐を有するクランプスリーブを備えることができ、前記内部円錐によって、前記クランプスリーブが締め付けジョーの外面に当接する。
【００１７】
クランプスリーブによって締め付けジョーをリベットマンドレルに確実に当接できるようにするために、本発明による発展形態では、圧縮ばねを設けることができ、この圧縮ばねは、好ましくは、締め付けジョーに当接するジョークローザを用いて、この締め付けジョーを、ブラインドリベット用のホルダに割り当てられた引っ張り装置の端部の方向に軸方向に衝突させる。
【００１８】
ジョークローザはスリーブを対象とすることができる。好ましくは、ジョークローザをブラインドリベット用のホルダに軸方向に摺動可能に案内することができる。
【００１９】
特に、リベット用のホルダに対向するホルダのスリットの前縁が、締め付けジョーの軸方向摺動時に締め付けジョーが半径方向にも移動されるように傾斜して延びることを意図することができる。
【００２０】
本発明の別の特徴、詳細および利点は特許請求の範囲および要約書から明らかになり、説明の内容に関連して、本発明の好ましい実施形態又は実施例の以下の説明に関連してならびに図面を参照して、本発明の別の特徴、詳細および利点について説明する。
【図面の簡単な説明】
【００２１】
【図１】本発明によって提供されたリベットセット装置の前部領域の軸方向断面図である。
【図２】ブラインドリベット用のホルダの前部領域の斜視図である。
【図３】リベットセット装置の前部領域の断面斜視図である。
【図４】リベットセット装置の前部領域の側面図である。
【図５】図４の線Ｖ−Ｖに沿った断面図である。
【図６】挿入されたリベットを有するホルダの斜視図である。
【図７】他の実施形態によるリベットセット装置の前部部分の縦断面図である。
【実施例】
【００２２】
図１の断面図に示したリベットセット装置は、複数の部分から組み立てられているハウジング１を含む。図１の左前端には開口部が存在し、この開口部を通して、ブラインドリベット３のリベットマンドレル２が貫通案内されている。リベットマンドレル２はブラインドリベット３用のホルダ５の貫通路４まで広範囲に及ぶ。
【００２３】
ブラインドリベット用のホルダ５はリベットマンドレル２用の開口部の直後のハウジング内に配置されている。ホルダ５はハウジング内に広範囲に及ぶ。したがって、既述の貫通路４はセット装置のタペット６も収容する。
【００２４】
リベットマンドレル２用のホルダ５は複数の半径方向スリット７を備え、図１の断面図は、前記スリットのうちの１つのスリット７を示している。ブラインドリベット３の方向の半径方向スリット７の前部正面壁８も後部正面壁９も内側から外側に傾斜して延びる。両方の正面壁８、９は外側に向かって分かれる。
【００２５】
半径方向スリット７内において、締め付けジョー１０が半径方向におよび軸方向に摺動可能に案内されている。締め付けジョー１０は、面取り歯が設けられた内面１１を備え、この内面１１はリベットマンドレル２の軸に対してほぼ平行に延びる。内面１１の反対側には、傾斜して延びる外面１２が存在し、この場合、締め付けジョー１０の半径方向に測定された寸法は図１の左側のユニットの前面から後方に向かって増大する。締め付けジョー１０の前縁１３はスリット７の前縁８に対して相補的に延びる。
【００２６】
リベット用のホルダ５も締め付けジョー１０もクランプスリーブ１４によって囲まれており、このクランプスリーブ１４はその内面１５に、右側に向かって開口した漏斗形状を備える。この内面１５によって、クランプスリーブ１４が締め付けジョー１０の外面１２に当接する。
【００２７】
リベットマンドレル用のホルダ５には、圧縮ばね１７から締め付けジョー１０の方向に衝突されるジョークローザ１６が支持されている。ジョークローザ１６は、傾斜して延びる円錐面を形成する前方側の面である前面１７を備える。この前面１７によって、ジョークローザ１６が、締め付けジョー１０の相補的に形成された後縁１８を把持する。圧縮ばね２７によって、ジョークローザ１６が締め付けジョー１０に衝突され、この締め付けジョー１０がスリット７の前縁１３を押圧する。これにより、締め付けジョー１０が外側に向かって衝突され、このことはクランプスリーブ１４ができるだけ許容する。クランプスリーブ１４が右側に引っ張られると、締め付けジョー１０が半径方向内側に摺動し、これによって、リベットマンドレル２を挟んで動かなくする。
【００２８】
これに対して、クランプスリーブ１４に作用する引っ張り装置が動作されない場合、クランプスリーブ１４は、図１に示したその端部位置をとり、締め付けジョー１０はリベットマンドレル２と係合せずに移動される。
【００２９】
ここで関連する図２は、リベットマンドレル２と共に使用されるリベットマンドレル用のホルダ５を示している。ホルダの半径方向外面から締め付けジョー１０の外面１２が突出する。締め付けジョー１０の後端にはジョークローザ１６の前面１７が当接する。この場合、締め付けジョー１０を半径方向にのみ移動させおよびわずかに軸方向に移動させることができるが、円周方向には移動させることができないように、締め付けジョー１０がリベットマンドレル用のホルダのスリットによって固定されていることを理解すべきである。
【００３０】
次に、図３は、縦断面斜視図を示している。この図面は図１の断面図にほぼ対応する。
【００３１】
図４は、リベットセット装置の前部領域の側面図を示しており、この場合、軸方向延長部は図１にほぼ対応する。
【００３２】
次に、図５は、図４の線Ｖ−Ｖにほぼ沿ったユニットの断面図を示している。この場合、特に、締め付けジョー１０が、平行な側壁を備えるスリット７に配置されていることを明らかに理解すべきである。締め付けジョー１０の厚さはスリット７の幅に一致する。これによって、締め付けジョーが円周方向に固定されている。スリットの幅はリベットマンドレル２の直径よりも小さい。リベットマンドレル２がタペット６を通して軸方向に急激に衝突する場合でも、リベットマンドレルは側方に逃げることができない。リベットマンドレルはホルダ５によって確実かつ安全に案内される。この案内はタペット６にも適用されるが、その理由は、このタペット６が貫通路４に同様に配置されているからである（図１参照）。
【００３３】
図６は、ホルダ５に案内された締め付けジョー１０と、ホルダ５に案内されたブラインドリベット３とを有するホルダ５を示している。ホルダ５は、締め付けジョー１０を案内する前部部分と、後部部分、すなわち、隣接しかつ移行肩部によって分離された円筒状領域とに分割することができる。後部部分は、リベットマンドレルの案内に利用され、リベットマンドレルの案内を確実に保証するために、リベットマンドレル２に適合された長さを備える。後部部分の壁厚は、リベットマンドレル２の案内機能のために十分な厚さに減少させることができる。後部部分は、長手方向に延びるスリットを備えることができ、この場合、それらのスリットの幅は、リベットマンドレル２の確実な案内を保証するためにリベットマンドレル２の直径よりも小さくなければならない。
【００３４】
案内部５の前部部分および後部部分は本発明では互いに一体的に形成されているが、分離された部分の使用を必要とする場合に、分離された部分として存在することもできる。
【００３５】
ホルダ５は本発明では中実材料から形成されているが、スリット７に加えて自由空間を備えることができる。しかし、この自由空間はリベットマンドレル２の案内を危険にさらさないように構成すべきである。例えば、このことは、円周方向の自由空間がリベットマンドレル直径よりも小さく、これにより、このような自由空間へのリベットマンドレル２の貫入が防止されていることによって実現することができる。しかし、このことは、自由空間が前部に、例えば締め付けジョー１０の間に形成されており、その結果、リベットマンドレル２の案内が自由空間の影響を受けないことによって実現することもできる。
【００３６】
ホルダ５は本発明では金属からなり、本発明では射出成形部として形成されている。ホルダ５の本質的に円筒状の形状はハウジング１内へのホルダの簡単な案内を可能にする。しかし、他の形状、例えば、正方形または長方形も可能である。
【００３７】
図７は、リベット３が挿入されているリベットセット装置の前端の別の実施形態を示している。締め付けジョーは、上記のように、板状に形成されているのではなく、長手方向に見て１８０°の角度でそれぞれ延びるので、リベットのセット時にリベットマンドレル２が広範囲にわたって完全に把持される。締め付けジョーは、リベットマンドレルを把持してリベットをセットするために、クランプスリーブを介して互いに向かって移動されるべきであり、次に、引き取られたリベットマンドレルを解放するために、ジョークローザ１６によって再び互いに離間する。本発明では、ジョークローザ１６とリベットマンドレル２の自由端との間で自由空間が半径方向に形成されており、この自由空間内に、特に図６に上述したホルダ５の後部部分、すなわち円筒状部分を配置して、リベットマンドレル２を案内することができる。
【符号の説明】
【００３８】
１  ハウジング
２  ブラインドリベット３のリベットマンドレル
３  ブラインドリベット
４  ホルダ５の貫通路
５  ホルダ
５  案内部
６  セット装置のタペット
７  複数の半径方向スリット
８  半径方向スリット７の前部正面壁
８  スリット７の前縁
９  半径方向スリット７の後部正面壁
１０  締め付けジョー
１１  面取り歯が設けられた内面
１２  締め付けジョー１０の外面
１３  締め付けジョー１０の前縁
１４  クランプスリーブ
１５  クランプスリーブ１４の内面
１６  ジョークローザ
１７  ジョークローザ１６の前面
１８  締め付けジョー１０の相補的に形成された後縁
２７  圧縮ばね
【図１】
2013536084.tif 000003
【図２】
2013536084.tif 000004
【図３】
2013536084.tif 000005
【図４】
2013536084.tif 000006
【図５】
2013536084.tif 000007
【図６】
2013536084.tif 000008
【図７】
2013536084.tif 000009
【国際調査報告】
2013536084.tif 000010
2013536084.tif 000011
2013536084.tif 000012
2013536084.tif 000013